(57)【要約】      （修正有）【課題】簡単な方法でロータをプレスフレームから除去可能であるロータ駆動装置を備えた回転プレス機を提供する。【解決手段】回転プレス機はロータ駆動装置を備え、これによってロータ１６が回転式に駆動可能であり、回転プレス機を作動させるために使用されるロータの少なくとも１つの駆動装置の移動によって、プレス加工品を製造するために占有されるその作動位置から除去位置にロータが上昇するように、駆動装置が連結手段４４によってロータに連結可能であり、ロータを除去位置からプレスフレームの外に側方に除去することができる。【選択図】図１
2015213959.tif 000002
【特許請求の範囲】
【請求項１】
プレスフレームおよびその上に配置されているロータ（１６）を備え、前記ロータ（１６）は、ダイプレート（１８）を有し、複数の上部パンチを受ける上部パンチ受け器（２０）を有し、複数の下部パンチを受ける下部パンチ受け器（２２）を有し、前記上部パンチを案内する上部カム要素を支持する上部カム（２４）を有し、前記下部パンチを案内するための下部カム要素を支持する下部カム（２６）を有し、
ロータ駆動装置をさらに備え、これによって前記ロータ（１６）が回転式に駆動可能であり、少なくとも１つの投与ステーションをさらに備え、圧縮材料が前記ダイプレート（１８）の受け器に充填され、少なくとも１つの上部プレス・ローラ（３５，３６）を有する少なくとも１つの上部プレス・ステーションと、少なくとも１つの下部プレス・ローラ（３７，３８）を有する少なくとも１つの下部プレス・ステーションとをさらに備えた回転プレス機であって、
連結手段が備えられており、前記回転プレス機を作動するために使用される前記ロータの少なくとも１つの駆動装置が、前記少なくとも１つの駆動装置の移動によって、プレス加工品を製造するために占有されるその作動位置から除去位置に前記ロータ（１６）が上昇するように、前記ロータ（１６）に前記連結手段が連結可能であり、前記ロータ（１６）を除去位置から前記プレスフレームの外に側方に除去することができることを特徴とする、回転プレス機。
【請求項２】
前記回転プレス機を作動させるために使用される前記ロータ（１６）に前記連結手段を介して連結可能な前記少なくとも１つの駆動装置が、少なくとも１つの投与ステーション駆動装置であり、当該投与ステーション駆動装置が前記少なくとも１つの投与ステーションの高さを調整する役割をすることを特徴とする、請求項１に記載の回転プレス機。
【請求項３】
前記回転プレス機を作動させるために使用される前記ロータ（１６）に前記連結手段を介して連結可能な前記少なくとも１つの駆動装置が、少なくとも１つのプレス・ステーション駆動装置であり、前記少なくとも１つの上部プレス・ステーションおよび／または少なくとも１つの下部プレス・ステーションの高さを調整する役割をすることを特徴とする、請求項１に記載の回転プレス機。
【請求項４】
前記連結手段が、少なくとも１つの牽引要素を備え、その一方で少なくとも１つの上部プレス・ステーションに、特に前記上部プレス・ローラ（３５，３６）を支持する少なくとも１つのフォーク・プレート（４０）に取付けられ、他方で前記ロータ（１６）に取付けられることを特徴とする、請求項３に記載の回転プレス機。
【請求項５】
前記少なくとも１つの牽引要素が、前記上部カム（２４）に配置される支持用取付け部品（５６）に取付けられ、前記ロータ（１６）の前記除去位置では、前記プレスフレームから前記ロータ（１６）を側方に除去するために、除去装置の除去アームが前記支持用取付け部品と係合可能であることを特徴とする、請求項４に記載の回転プレス機。
【請求項６】
前記少なくとも１つの牽引要素が、前記少なくとも１つの上部プレス・ステーションに着脱自在に取付けられ、および／または前記ロータ（１６）に着脱自在に取付けられることを特徴とする、請求項４または５に記載の回転プレス機。
【請求項７】
前記少なくとも１つの牽引要素が、少なくとも１つの引張棒（４４，４５）であることを特徴とする、請求項４から６のいずれか一項に記載の回転プレス機。
【請求項８】
前記連結手段が、少なくとも１つのプッシュ要素を備え、前記少なくとも１つのプッシュ要素は、一方で少なくとも１つの下部プレス・ステーションの下部プレス・ローラ（３７，３８）を支持する少なくとも１つのフォーク・プレート（４２）に取付けられ、他方で前記ロータ（１６）に取付けられることを特徴とする、請求項３に記載の回転プレス機。
【請求項９】
前記少なくとも１つのプッシュ要素が、少なくとも１つのプッシュ・ブラケット（５８）であることを特徴とする、請求項８に記載の回転プレス機。
【請求項１０】
前記少なくとも１つのプッシュ要素が、前記少なくとも１つの下部プレス・ステーションに着脱自在に取付けられ、および／または前記ロータ（１６）に着脱自在に取付けられることを特徴とする、請求項８から９のいずれか一項に記載の回転プレス機。
【請求項１１】
前記回転プレス機が、一方で前記ロータ駆動装置に連結され他方で前記ロータ（１６）に連結されるロータ軸（１４）を備え、前記連結手段が、回転可能に前記ロータ軸（１４）を包囲し、前記ロータ（１６）に載置されている昇降カラー（６８）を備え、前記昇降カラー（６８）が回転することによって、前記少なくとも１つの下部プレス・ステーションと選択的に係合したり係合が外れたりするようになる少なくとも１つの係合要素が前記昇降カラー（６８）に設けられており、前記少なくとも１つの下部プレス・ステーションと前記少なくとも１つの係合要素とを係合することによって、前記昇降カラー（６８）および前記ロータ（１６）が、前記少なくとも１つの下部プレス・ステーションの上昇移動によって上昇することを特徴とする、請求項３に記載の回転プレス機。
【請求項１２】
前記連結手段が、回転可能に取付けられた昇降リング（７１）を備え、前記昇降リング（７１）の回転によって選択的に前記ロータ（１６）と係合したり係合が外れたりすることができる少なくとも１つの係合要素が前記昇降リング（７１）に設けられ、前記ロータ（１６）と前記少なくとも１つの係合要素とを係合することによって、前記昇降リング（７１）および前記ロータ（１６）が、前記少なくとも１つの下部プレス・ステーションの移動によって上昇することを特徴とする、請求項３に記載の回転プレス機。
【請求項１３】
前記連結手段が、一方で前記少なくとも１つの下部プレス・ステーション駆動装置に連結され、他方で前記ロータ（１６）に連結されている少なくとも１つの昇降レバー（７２）を備え、前記少なくとも１つの下部プレス・ステーションが前記少なくとも１つの下部プレス・ステーション駆動装置によって下向きに移動することで、前記ロータが（１６）前記少なくとも１つの昇降レバー（７２）によって上昇することを特徴とする、請求項３または１２に記載の回転プレス機。
【請求項１４】
前記少なくとも１つの昇降レバー（７２）が前記ロータ（１６）を係合する前記少なくとも１つの要素を介して前記ロータ（１６）に連結されていることを特徴とする、請求項１３に記載の回転プレス機。
【請求項１５】
前記少なくとも１つのプレス・ステーション駆動装置が、スピンドル駆動装置であることを特徴とする、請求項１から１４のいずれか一項に記載の回転プレス機。
【請求項１６】
前記少なくとも１つのプレス・ステーション駆動装置のスピンドル（７３）またはスピンドルナットが、前記少なくとも１つの昇降レバー（７２）に連結されていることを特徴とする、請求項１５に記載の回転プレス機。
【発明の詳細な説明】
【技術分野】
【０００１】
本発明は、回転プレス機に関し、プレスフレームおよびその上に配置されているロータを備える。ロータは、ダイプレートを有し、複数の上部パンチを受ける上部パンチ受け器を有し、複数の下部パンチを受ける下部パンチ受け器を有し、上部パンチを案内する上部カム要素を支持する上部カムを有し、下部パンチを案内する下部カム要素を支持する下部カムを有する。回転プレス機は、ロータ駆動装置をさらに備え、これによってロータが回転式に駆動可能であり、少なくとも１つの投与ステーションをさらに備え、ここで圧縮材料がダイプレートの受け器に充填され、少なくとも１つの上部プレス・ローラを有する少なくとも１つの上部プレス・ステーションと、少なくとも１つの下部プレス・ローラを有する少なくとも１つの下部プレス・ステーションとをさらに備える。
【背景技術】
【０００２】
回転プレス機では、メンテナンスのため、または作動パラメータを変更するために、ロータをプレスフレームから取外すことが時には必要となる。この目的のために、ロータをロータ駆動装置に接続されているロータ軸から昇降させなければならない。そうして、ロータをプレスフレームから側方に取外すことができる。ロータを昇降させるために、従来技術では、ロータを昇降するのに適した駆動装置および変速機を有する個別の昇降装置（リフトトラック）を使用する。
【発明の概要】
【発明が解決しようとする課題】
【０００３】
従来技術では、時間がかかり、回転プレス機の稼働率に影響を与える。さらに、追加の昇降装置を設けることは、コストがかかり、かつ、空間が必要となる。洗浄の可能性が制限され、例えば水圧を提供するために、備えて維持しなければならないさらなる媒体がある程度必要となる。
【０００４】
したがって、従来技術に基づいて、本発明の目的は、上述のタイプの回転プレス機を提供することであり、従来技術と比較して簡単な方法でロータをプレスフレームから除去可能である。
【課題を解決するための手段】
【０００５】
本発明は、請求項１の主題により本目的を達成する。有利な実施形態は、従属請求項、明細書、および図面に見られる。
【０００６】
最初に指定されたタイプの回転プレス機として、本発明は以下の目的を解決する。すなわち、連結手段が備えられており、回転プレス機を作動させるために使用されるロータの少なくとも１つの駆動装置の移動によって、プレス加工品を製造するために占有されるその作動位置から除去位置にロータが上昇するように、回転プレス機を作動するために使用される回転プレス機の少なくとも１つの駆動装置が連結手段によってロータに連結可能であり、ロータを除去位置からプレスフレームの外に側方に除去することができる。
【０００７】
ロータのダイプレートは、周知の方法で凹部を有し、投与ステーションで充填された粉末がこの中で加圧されて、プレス加工品、特にタブレットになる。ダイプレートは、リング状の切片（弓状）からなっていてもよく、あるいは一体的な環状形であってもよい。回転プレス機は、特に、ロータと共に回転する上部パンチ受け器に受容される複数の上部パンチと、ロータと共に回転する下部パンチ受け器に受容される複数の下部パンチとを含み、上部および下部パンチは、プレス加工品を製造するためにダイプレートの凹部と相互に作用する。特に、回転プレス機は、上部カムで保持される上部パンチを案内する上部カム要素と、下部カムで保持される下部パンチを案内する下部カム要素とを備える。
【０００８】
本発明によると、連結手段が設けられており、これを介して、別の方法で存在し、回転プレス機を作動するのに使用される回転プレス機の駆動装置が、ロータをその除去位置に昇降させるのに使用可能である。連結手段は、この駆動装置をロータに接続する。除去位置では、ロータをロータ駆動装置に接続されているロータ軸から昇降させることができるので、例えば、適切な除去装置を使用して、ロータをプレスフレームから側方に除去することができる。しかし、ここでは、ロータを持ち上げるために除去装置によって持ち上げる力を作用させてはならない。したがって、この除去装置は、昇降駆動装置を必要としない。当然、すでに作動するために使用され存在する回転プレス機の駆動装置を使用して、連結手段によって、ロータをその除去位置からその作動位置に下降することもできる。このことは、さらなる構成部品を駆動装置に取り付けることなく行うことができる。
【０００９】
回転プレス機の上部駆動装置および／または下部駆動装置は、ロータをそれぞれ上昇または下降させるのに使用可能である。特に有利な方法において、ロータを側方に除去するために、少なくとも必要となる待機位置への回転プレス機のステーションの移動を使用することが可能であり、それによって、結果としてさらに時間が節減され、それに伴い回転プレス機の稼働率が高まる。本発明によれば、個別の昇降装置の組立が省かれる。さらなる駆動装置部品が、プレス機の空間では不要になるので、洗浄が容易となる。さらに、追加の装置、特に外部の昇降装置のメンテナンスが省かれる。手動操作することなく完全に自動的にロータをその除去位置に移動することができるので、コストが低減し、操作が容易となる。
【００１０】
１つの設計によると、連結手段によって回転プレス機を作動するロータに連結可能な少なくとも１つの駆動装置が、少なくとも１つの投与ステーション駆動装置であってもよく、少なくとも１つの投与ステーションの高さを調整する役割をする。
【００１１】
ロータを除去するために、通常、上部プレス・ステーションが上方へ移動し、下部プレス・ステーションは下方に移動するので、ロータが上下のプレス・ローラ間でプレスフレームから除去可能である。したがって、特に有利な方法では、連結手段を介して回転プレス機を作動するロータに連結可能な少なくとも１つの駆動装置が、少なくとも１つのプレス・ステーション駆動装置であってもよく、少なくとも１つの上部および／または少なくとも１つの下部プレス・ステーションの高さを調整する役割をする。回転プレス機のプレス・ステーション駆動装置は、ロータを昇降するのに必要とされる力を加えることが可能である。プレス・ステーションがそのそれぞれの待機位置へ移動することは、少なくともロータを除去するのに必要であるが、除去位置にロータを上昇させるのにもまた有利に使用される。複数の上部または複数の下部のプレス・ステーション駆動装置で、特に、すべての上部プレス・ステーション駆動装置および／またはすべての下部プレス・ステーション駆動装置を、ロータを上昇（または下降）させる連結手段を介してロータに連結することができる。
【００１２】
連結手段が、少なくとも１つの牽引要素を備えていてもよく、その一方で少なくとも１つの上部プレス・ステーションに、特に上部プレス・ローラを支持する少なくとも１つのフォーク・プレートに固締され、他方でロータに、特に上部カムまたはロータの上部パンチ受け器に固締される。特に、少なくとも１つの牽引要素が、いずれの場合も、各上部のプレス・ステーション駆動装置に、特に上部フォーク・プレートに固締可能である。ついで、この牽引要素はすべてロータにさらに固締される。上部プレス・ステーション駆動装置またはそれぞれの上部プレス・ステーションのその待機位置への移動中、牽引要素もまたロータをその除去位置に上方に移動させる。
【００１３】
少なくとも１つの牽引要素は、上部カムに配置される支持用取付け部品に取付け可能であり、ロータの除去位置では、プレスフレームからロータを側方に除去するために、除去装置の除去アームが支持用取付け部品と係合可能である。このような支持用取付け部品は、例えばマッシュルーム状に設計可能である。
【００１４】
少なくとも１つの牽引要素は、少なくとも１つの上部プレス・ステーションに着脱自在に固締されることができ、および／またはロータに着脱自在に固締されることができる。さらに、少なくとも１つの牽引要素は、少なくとも１つの引張棒であってもよい。
【００１５】
さらなる設計による連結手段は、一方で少なくとも１つの下部プレス・ステーションに、特に下部プレス・ローラを支持する少なくとも１つのフォーク・プレートに固締され、他方でロータに、特に下部カムまたはロータの下部パンチ受け器に固締される少なくとも１つのプッシュ要素を備えていてもよい。さらに、複数の下部プレス・ステーション駆動装置が存在する場合、少なくとも１つのプッシュ要素が各下部プレス・ステーション駆動装置に取付けられていてもよい。ついで、このプッシュ要素はすべてロータに取付けられる。この場合、プッシュ要素を介して上昇移動する下部プレス・ステーション駆動装置は、ロータをその除去位置に上方にも押圧する。少なくとも１つのプッシュ要素は、少なくとも１つのプッシュ・ブラケットであってもよい。このようなプッシュ・ブラケットを介して大きな力が安全に伝達される。
【００１６】
順に、少なくとも１つのプッシュ要素を、少なくとも１つの下部プレス・ステーションに着脱自在に固締することができ、および／またはロータに着脱自在に固締することができる。
【００１７】
代替として、回転プレス機が、一方でロータ駆動装置に連結され他方でロータに連結されるロータ軸を備えていてもよく、連結手段が、回転可能にロータ軸を包囲し、ロータに、特に下部カムまたはロータの下部パンチ受け器に載置されている昇降カラーを備え、昇降カラーの回転中に、少なくとも１つの下部プレス・ステーションと選択的に係合したり係合が外れたりするようになる少なくとも１つの係合要素が昇降カラーに設けられている。少なくとも１つの下部プレス・ステーションと少なくとも１つの係合要素とを係合することによって、昇降カラーおよびロータが、少なくとも１つの下部プレス・ステーションの上昇移動によって上昇する。昇降リングまたはそれぞれの昇降カラーを回転することによって、特に、下部駆動ローラを保持する下部プレス・ステーション駆動装置のフォーク・プレートの場合、複数の下部プレス・ステーション駆動装置で、係合要素またはおそらくは複数の係合要素が、すべての下部プレス・ステーション駆動装置と係合することができるようになる。
【００１８】
さらなる設計によると、連結手段が回転可能に取付けられた昇降リングを備えていてもよく、昇降リングの回転によって、選択的にロータと係合したり係合が外れたりすることができる少なくとも１つの係合要素が設けられている。ロータと少なくとも１つの係合要素とを係合することによって、昇降リングおよびロータが、少なくとも１つの下部プレス・ステーションの移動によって上昇することができる。
【００１９】
さらなる設計によると、連結手段が、一方で少なくとも１つの下部プレス・ステーション駆動装置に連結され、他方でロータに、特に下部カムまたは、ロータの下部パンチ受け器に連結されている少なくとも１つの昇降レバーを備え、少なくとも１つの下部プレス・ステーションが少なくとも１つの下部プレス・ステーション駆動装置によって下向きに移動することで、ロータが少なくとも１つの昇降レバーによって上昇する。順に、複数の下部プレス・ステーション駆動装置で、いずれの場合も、少なくとも１つの昇降レバーが各下部プレス・ステーション駆動装置に連結可能であり、特に、いずれの場合においても、下部プレス・ローラを保持する下部プレス・ステーション駆動装置のフォーク・プレートに連結可能である。ついで、順に、昇降レバーはすべてロータに連結される。この設計で、ロッカーの様式の昇降機構が昇降レバーを使用して実現可能である。下部プレス・ステーション駆動装置が待機位置まで下向きに移動することによって、ロータがその除去位置まで上昇する。昇降機構によって、プレス・ステーション側の短い移動路および短い移動時間を実現させる伝達率を達成することができる。例えば、少なくとも１つの昇降ロッドなどの、ロータ、特に下部カム、またはロータの下部パンチ受け器と係合する少なくとも１つの適した要素を介して、少なくとも１つの昇降レバーはロータに連結可能である。
【００２０】
少なくとも１つのプレス・ステーション駆動装置は、スピンドル駆動装置であってもよい。スピンドル駆動装置は、正確な方法で大きな力を伝達することができる。これらは、一般的に、いずれの場合においてもスピンドルおよびスピンドルナットを有し、スピンドルまたはスピンドルナットは通常、電気モータによって回転駆動する。スピンドルまたはスピンドルナットは、それによって軸方向に移動する。ついで、昇降レバーは、いずれの場合においても軸方向に移動する構成部品に、したがって主軸またはそれぞれスピンドルナットに連結される。例えば、各下部プレス・ステーション駆動装置のスピンドルは、ついで昇降レバーを介して昇降機構を作動させ、ロータと係合し、ロータを上昇および下降させる。
【００２１】
本発明の例示的実施形態を、図面を使用して、以下により詳細に説明する。図面は、以下のように概略的に示す。
【図面の簡単な説明】
【００２２】
【図１】第１の例示的実施形態による本発明の回転プレス機の部分斜視図である。
【図２】図２は、第２の例示的な実施形態による本発明の回転プレス機の部分透明斜視図である。
【図３】第３の例示的な実施形態による本発明の回転プレス機の部分斜視図である。
【図４】第４の例示的な実施形態による本発明の回転プレス機の部分拡大断面を備えた斜視図である。
【図５】第５の例示的な実施形態による本発明の回転プレス機の部分拡大断面を備えた斜視図である。
【図６】第６の例示的な実施形態による本発明の回転プレス機の部分透明斜視図である。
【発明を実施するための形態】
【００２３】
同じ参照番号は、特に明記しない限り図において同じ対象物を示す。図１は、回転プレス機のプレスフレームの上部支持プレート１０および下部支持プレート１２を示す。回転プレス機のロータ１６は、ロータ駆動装置に接続されているロータ軸１４に配置されている。ロータ１６は、ダイプレート１８と、複数の上部パンチ（図示せず）を受ける上部パンチ受け器２０と、複数の下部パンチ（また図示せず）を受ける下部パンチ受け器２２とを備える。さらに、ロータ１６が、上部パンチを案内する上部カム要素（図示せず）を支える上部カム２４と、下部パンチを案内する下部カム要素（図示せず）を支える下部カム２６とを備える。
【００２４】
回転プレス機は、２組の上部プレス・ステーションと、２組の下部プレス・ステーションとをさらに備える。２つの上部プレス・ステーションはそれぞれ、上部予プレス・ガイド・ハウジング２８を有する上部予プレス・ステーションを備える。２つの下部プレス・ステーションのそれぞれは、下部予プレス・ガイド・ハウジング３０を有する下部予プレス・ステーションを備える。さらに、上部プレス・ステーションはそれぞれ、上部主プレス・ステーション・ガイド・ハウジング３２を備えた上部主プレス・ステーションを有する。２つの下部プレス・ステーションは同様に、下部主プレス・ステーション・ガイド・ハウジング３４を備えた下部主プレス・ステーションを有する。上部プレス・ステーションのそれぞれが、上部予プレス・ローラ３５および上部主プレス・ローラ３６をさらに備える。したがって、下部プレス・ステーションのそれぞれは、下部予プレス・ローラ３７および下部主プレス・ローラ３８を有する。プレス・ローラ３５、３６、３７、３８は、上部フォーク・プレート４０または下部フォーク・プレート４２によってそれぞれ保持される。このような回転プレス機の設計は、周知である。
【００２５】
図１に示すように、引張棒４４は、一端が上部プレス・ローラ３６を支持するフォーク・プレート４０に、他端がロータ１６の上部カム２４に取付けられている。したがって、合計で４本の引張棒４４が設けられており、そのうち２本のみが図１において視認可能になっている。回転プレス機の上部および下部プレス・ステーションは、上部および下部プレス・ステーション駆動装置を備え、図２において視認可能な上部および下部駆動モータ４６、４８をそれぞれ備える。駆動装置モータ４６、４８は、歯車５０、５２を介して上部または下部プレス・ステーションに作用する。明確にするために、プレス・ステーション駆動装置を図１および図３から図５には示していない。上部または下部プレス・ステーションは、それぞれ、上部および下部プレス・ステーション駆動装置を介して、周知のように上下に移動可能である。図１は、ロータ１６のその作動位置を示し、プレス加工品を製造する。ロータ１６は、この時、引張棒４４を介して上部プレス・ステーション駆動装置および上部プレス・ステーションの上昇移動によって、その除去位置に上昇可能である。ロータ１６は、例えば除去装置によってプレスフレームから側方に除去可能である。ロータを除去するのに十分な空間を得るために、下部プレス・ステーションは、それらのプレス・ステーション駆動装置によって同時に待機位置まで下方へ移動することができる。したがって、簡単な方法で、この場合の上部プレス・ステーション駆動装置のそれらの待機位置への上昇移動が、ロータ１６をその除去位置に同時に上昇させるために用いられる。
【００２６】
図２は、本発明による回転プレス機のさらなる例示的実施形態を示し、図２に示す回転プレス機は、大部分が図１に示す回転プレス機に対応している。図２に示す回転プレス機が図１に示す回転プレス機と異なるのは、単に、上部カム２４に取付けられている引張棒４４の代わりに、引張棒５４が設けられ、それぞれがその一方で上部プレス・ステーションの上部フォーク・プレート４０に取付けられ、他方で上部カム２４の中央支持用取付け部品５６に取付けられている点だけである。この支持用取付け部品５６は、例えばマッシュルーム状に形成されてもよく、除去位置にあるロータをプレスフレームから側方に除去する除去装置を係合する役割をする。このようなマッシュルーム状の取付け部品５６は、図３にて視認可能である。取付け部品５６は、すべての例示的実施形態に備えられていてもよい。さらに、図２の実施例に示すロータ１６は、図１ですでに説明したように、上部プレス・ステーション駆動装置の上昇移動によってその除去位置に上昇している。
【００２７】
図３は、本発明による回転プレス機のさらなる例示的実施形態を示す。この場合、上部支持プレート１０および上部プレス・ステーションを説明の便宜上示していない。さらにまた、図３に示す例実施形態は、大部分が図１の例実施形態に対応している。図１の上部プレス・ステーションに接続されている引張棒４４の代わりに、図３の例示的実施形態では、合計で４個のプッシュ・ブラケット５８が設けられており、いずれの場合も、一方で下部プレス・ステーションの予プレス・ガイド・ハウジング３０および主プレス・ガイド・ハウジング３４に取付けられており、他方で、ロータ１６、特に下部パンチ受け器２２の底面と係合する。下部プレス・ステーション、特に、予プレス・ガイド・ハウジング３０および主プレス・ガイド・ハウジング３４の移動によって、プッシュ・ブラケット５８を介して、ロータ１６は、その作動位置からその除去位置に移動可能である。
【００２８】
図４は、本発明による回転プレス機のさらなる例示的実施形態を示し、図３の例示的実施形態と大部分が対応している。図３のように、上部支持プレート１０および上部プレス・ステーションは、説明の便宜上示していない。図４に示す例示的実施形態によって、昇降リング６０が下部支持プレート１２に回転可能に取り付けらており、複数の昇降ロッド６２を介してロータ１６の下部カム２６と係合する。ここに示す実施例では、４本の係合ロッド６４が昇降リング６０に旋回可能に取付けられており、係合ロッド６４は昇降リング６０の表面を始点に上向きに延び、その自由端で外方に角度をつけられている。特に図４の拡大説明図６６に示すように、係合ロッド６４は、適したピボット回転によって下部プレス・ステーションのフォーク・プレート４２と係合するようになり、特に、係合ロッド６４は、フォーク・プレート４２の上面にわたって旋回可能である。このような係合設定において、下部プレス・ステーションが下部プレス・ステーション駆動装置を介して上方へ移動すると、下部プレス・ステーションが係合ロッド６４を介して昇降リング６０とともに動き、係合ロッド６４は昇降ロッド６２を介して順にロータ１６をその除去位置に上昇させる。係合ロッド６４は、対応する戻りのピボット回転によって下部プレス・ステーションのフォーク・プレート４２との係合から外れるようになる。
【００２９】
図５は、この代替案を示す。この例示的実施形態は、図４に示される例示的実施形態と大部分が対応している。しかし、図４と比べると、昇降ロッド６２および係合ロッド６４を有する昇降リング６０がなく、手動で、あるいは適した駆動装置によって回転可能なロータ軸１４を包囲する昇降カラー６８がある。示される実施例の昇降カラー６８は、４つの係合ブラケット７０を有し、昇降カラー６８の上面を始点として外方に延びる。図５に示されるように、再び拡大断面説明図６６において、係合ブラケット７０は、昇降カラー６８の適した回転によって、特に図４の例示的実施形態に備わる係合ロッドと類似の方法でフォーク・プレート４２の上面を覆うように、下部プレス・ステーションのフォーク・プレート４２と係合するようになる。図４の例示的実施形態に類似し、上昇移動によって、下部プレス・ステーションは、係合ブラケット７０を介して、昇降カラー６８とともにロータ１６を除去位置に移動させる。
【００３０】
図６は、さらなる例示的実施形態を示し、ここでも、図４に示す例示的実施形態と大部分が対応している。図４の例示的実施形態に比べて、この例示的実施形態では、回転可能な昇降リング７１がある。昇降リング７１は、手動および適した駆動装置の両方によって回転可能である。図６の例示的実施形態では、昇降レバー７２は、一方で下部プレス・ステーションに、他方でロータ１６に連結されている。ここに示した例では、いずれの場合においても、下部プレス・ステーションのスピンドル駆動装置のスピンドル７３が、昇降レバー７２の１つと一端で係合し、スピンドル７３および昇降レバー７２は関節方式で共に連結されている。また、昇降レバー７２の他端は、いずれの場合においても回転可能な昇降リング７１に作用する昇降ロッド７４に関節方式で接続されている。昇降リング７１を回転することによって、選択的にロータ１６と係合したりロータ１６との係合が外れたりする。図６の例示的実施形態では、下部プレス・ステーション駆動装置、特にスピンドル７３や昇降リング７１の下向き移動によって、かつロータ１６との適切な係合によって、ロータ１６が昇降レバー７２および昇降ロッド７４を介してその除去位置まで上向きに移動する。
【００３１】
理解されるのは、すべての例示的実施形態では、ロータがその作動位置からその除去位置に上昇可能であり、かつその除去位置からその作動位置に下降可能なことである。プレス・ステーション駆動装置とロータとの間の上述のすべての連結手段を回転プレス機に恒久的に、あるいは一時的に、したがって着脱可能に設けることができるので、連結手段が回転プレス機のロータの昇降のためにのみ設置される。
【図１】
2015213959.tif 000003
【図２】
2015213959.tif 000004
【図３】
2015213959.tif 000005
【図４】
2015213959.tif 000006
【図５】
2015213959.tif 000007
【図６】
2015213959.tif 000008
【外国語明細書】
2015213959000001.pdf
2015213959000002.pdf
2015213959000003.pdf
2015213959000004.pdf